(57)【特許請求の範囲】
【請求項１】
投票端末と、サーバと、を具備し、
前記投票端末は、
公営競技の投票券であって、当たりか外れかが確定している前記投票券である確定投票券が投入され、
投入された前記確定投票券が外れ投票券である場合に、前記外れ投票券の買目である第１の買目を含む第１データを前記サーバへ送信し、
前記サーバは、
前記第１データを受信し、
受信した前記第１データに基づいて、投票券を購入可能な最直近のレースの複数の買目の中から前記第１の買目の人気順位と同等の人気順位を有する買目である第２の買目を選択し、前記最直近のレースのレース開催日、場名、レース番号、式別、及び、前記第２の買目を含む第２データを生成し、
生成した前記第２データを前記投票端末へ送信し、
前記投票端末は、
前記第２データを受信し、
受信した前記第２データに基づいて、前記レース開催日、前記場名、前記レース番号、前記式別、及び、前記第２の買目が印刷された投票券を排出する、
トータリゼータシステム。
【請求項２】
前記サーバは、
前記外れ投票券に対する抽選を行い、
前記外れ投票券が前記抽選に当選した場合に前記第２データを生成する、
請求項１に記載のトータリゼータシステム。
【請求項３】
公営競技の投票券であって、当たりか外れかが確定している前記投票券である確定投票券を投入可能な投入口と、
投入された前記確定投票券が外れ投票券である場合に、前記外れ投票券の買目である第１の買目を含む第１データをサーバへ送信する送信部と、
前記サーバによって前記第１データに基づいて生成された第２データであって、投票券を購入可能な最直近のレースのレース開催日、場名、レース番号、式別、及び、前記最直近のレースの複数の買目の中から前記サーバによって選択された第２の買目であって、前記第１の買目の人気順位と同等の人気順位を有する買目である前記第２の買目を含む前記第２データを前記サーバから受信する受信部と、
受信された前記第２データに基づいて、前記レース開催日、前記場名、前記レース番号、前記式別、及び、前記第２の買目が印刷された投票券を排出する排出口と、
を具備する投票端末。
【請求項４】
公営競技の投票券であって、当たりか外れかが確定している前記投票券である確定投票券のうち外れ投票券の買目である第１の買目を含む第１データを投票端末から受信する受信部と、
受信された前記第１データに基づいて、投票券を購入可能な最直近のレースの複数の買目の中から前記第１の買目の人気順位と同等の人気順位を有する買目である第２の買目を選択し、前記最直近のレースのレース開催日、場名、レース番号、式別、及び、前記第２の買目を含む第２データを生成する生成部と、
生成された前記第２データを前記投票端末へ送信する送信部と、
を具備するサーバ。
【発明の詳細な説明】
【技術分野】
【０００１】
本発明は、公営競技におけるトータリゼータシステム、投票端末及びサーバに関する。
【背景技術】
【０００２】
競馬、競輪、競艇及びオートレースの公営競技では、公営競技の投票券（以下では単に「投票券」と呼ぶことがある）の購入者は、当たった投票券を配当金の払戻に使用する。
【先行技術文献】
【特許文献】
【０００３】
【特許文献１】特開２０１５−１２７９２２号公報
【特許文献２】特開２０１５−１６１９６４号公報
【発明の概要】
【発明が解決しようとする課題】
【０００４】
しかし、投票券の購入者は、通常、外れた投票券（以下では「外れ投票券」と呼ぶことがある）には使い途がないため、外れ投票券をごみとして捨てる場合が多い。このため、公営競技場内や、公営競技場外の投票券発売所内には、多くの外れ投票券が散乱していることが多い。散乱した外れ投票券の清掃には、多くの労力を要する。また、外れ投票券が散乱している光景は、公営競技のイメージの悪化を招くため、新規顧客の開拓を困難にする要因となっている。以下では、当たった投票券を「当たり投票券」と呼ぶことがある。
【０００５】
開示の技術は、上記に鑑みてなされたものであって、外れ投票券の散乱を抑止することを目的とする。
【課題を解決するための手段】
【０００６】
開示の態様では、トータリゼータシステムは、投票端末と、サーバとを有する。前記投票端末は、公営競技の投票券であって、当たりか外れかが確定している前記投票券である確定投票券が投入され、投入された前記確定投票券が外れ投票券である場合に、前記外れ投票券の投票内容を示すデータである第１データを前記サーバへ送信する。前記サーバは、前記第１データを受信し、受信した前記第１データに基づいて、投票券を購入可能な将来のレースの投票内容を示すデータである第２データを生成し、生成した前記第２データを前記投票端末へ送信する。そして、前記投票端末は、前記第２データを受信し、受信した前記第２データ応じた券を排出する。
【０００７】
また、開示の態様では、投票端末は、投入口と、送信部と、受信部と、排出口とを有する。前記投入口は、公営競技の投票券であって、当たりか外れかが確定している前記投票券である確定投票券を投入可能である。前記送信部は、投入された前記確定投票券が外れ投票券である場合に、前記外れ投票券の投票内容を示すデータである第１データをサーバへ送信する。前記受信部は、前記サーバによって前記第１データに基づいて生成された第２データであって、投票券を購入可能な将来のレースの投票内容を示すデータである前記第２データを前記サーバから受信する。前記排出口は、受信された前記第２データに応じた券を排出する。
【０００８】
また、開示の態様では、サーバは、受信部と、生成部と、送信部とを有する。前記受信部は、公営競技の投票券であって、当たりか外れかが確定している前記投票券である確定投票券のうち外れ投票券の投票内容を示すデータである第１データを投票端末から受信する。前記生成部は、受信された前記第１データに基づいて、投票券を購入可能な将来のレースの投票内容を示すデータである第２データを生成する。前記送信部は、生成された前記第２データを前記投票端末へ送信する。
【発明の効果】
【０００９】
開示の態様によれば、外れ投票券の散乱を抑止することができる。
【図面の簡単な説明】
【００１０】
【図１】図１は、実施例１のトータリゼータシステムの構成例を示す図である。
【図２】図２は、実施例１の投票端末の概要の説明に供する図である。
【図３】図３は、実施例１の投票端末の構成例を示す機能ブロック図である。
【図４】図４は、実施例１の抽選サーバの構成例を示す機能ブロック図である。
【図５】図５は、実施例１のトータリゼータシステムの処理シーケンスの一例を示す図である。
【図６】図６は、実施例１の外れ投票券データの一例を示す図である。
【図７】図７は、実施例１の詳細レースファイルの項目の一例を示す図である。
【図８】図８は、実施例１の抽選サーバの動作例の説明に供する図である。
【図９】図９は、実施例１の抽選サーバの動作例の説明に供する図である。
【図１０】図１０は、実施例１の将来レースデータの一例を示す図である。
【図１１】図１１は、実施例１の投票券の一例を示す図である。
【図１２】図１２は、実施例１の将来レースデータの一例を示す図である。
【図１３】図１３は、実施例１の投票用ギフト券の一例を示す図である。
【図１４】図１４は、実施例１の将来レースデータ生成部の処理の説明に供するフローチャートである。
【図１５】図１５は、実施例２の投票端末のハードウェア構成例を示す図である。
【図１６】図１６は、実施例２の抽選サーバのハードウェア構成例を示す図である。
【発明を実施するための形態】
【００１１】
以下に、本願の開示するトータリゼータシステム、投票端末及びサーバの実施例を図面に基づいて説明する。なお、この実施例により本願の開示するトータリゼータシステム、投票端末及びサーバが限定されるものではない。また、以下では、公営競技の一例として、競馬を挙げて説明する。しかし、開示の技術は、競輪、競艇及びオートレース等、競馬以外の公営競技にも適用可能である。また、実施例において同一の構成、及び、同一の処理を行うステップには同一の符号を付し、重複する説明を省略する。
【００１２】
［実施例１］
＜トータリゼータシステムの構成＞
図１は、実施例１のトータリゼータシステムの構成例を示す図である。図１に示すトータリゼータシステム１は、公営競技におけるものであり、例えば、投票券の発売や投票券の払戻の処理、オッズの計算、配当金の計算等の処理を行う。
【００１３】
図１において、トータリゼータシステム１は、管理サーバ１０と、情報サーバ５０と、抽選サーバ２０と、投票端末３０−１〜３０−Ｎとを有する。管理サーバ１０と、情報サーバ５０と、抽選サーバ２０と、投票端末３０−１〜３０−Ｎとは、ネットワーク４０を介して接続されており、相互に通信可能である。以下では、投票端末３０−１〜３０−Ｎを区別しない場合には、投票端末３０と総称することがある。また、ネットワーク４０に接続される投票端末３０の台数Ｎは限定されない。
【００１４】
管理サーバ１０は、投票端末３０とネットワーク４０を介して通信を行い、投票端末３０が行う投票券の発売や投票券の払戻等を管理する。また、管理サーバ１０は、オッズの計算、配当金の計算等を行う。
【００１５】
情報サーバ５０は、レースに関する各種情報を管理する。例えば、情報サーバ５０は、順位が確定している過去のレース、及び、投票券購入〆切前のレース（つまり、これから行われるレース）に関し、レース開催日、場名、レース番号、式別、買目、オッズ、及び、人気順位を示すデータ（以下では「詳細レースデータ」と呼ぶことがある）を記憶する。また、情報サーバ５０は、順位が確定している過去のレースのレース結果を示すデータ（以下では「レース結果データ」と呼ぶことがある）を記憶する。
【００１６】
抽選サーバ２０は、投票端末３０から受信する「外れ投票券データ」に基づいて、外れ投票券に対する抽選を行う。抽選サーバ２０は、外れ投票券が抽選に当選した場合に、「将来レースデータ」を生成し、生成した将来レースデータを、投票端末３０−１〜３０−Ｎのうち、外れ投票券データを抽選サーバ２０へ送信した投票端末３０へ送信する。
【００１７】
ここで、「外れ投票券データ」とは、外れ投票券の投票内容を示すデータであり、外れ投票券データには、例えば、外れ投票券に記載されたレース開催日、場名、レース番号、式別、及び、買目が含まれる。また、「将来レースデータ」とは、投票券を購入可能な将来のレース（以下では「将来レース」と呼ぶことがある）の投票内容を示すデータであり、将来レースデータには、例えば、将来レースのレース開催日、場名、レース番号、式別、買目、及び、投票金額が含まれる。
【００１８】
投票端末３０は、管理サーバ１０の管理の下で、投票券の発売や投票券の払戻等を行う。
【００１９】
＜投票端末の概要＞
図２は、実施例１の投票端末の概要の説明に供する図である。図２において、投票端末３０は、運用状況表示窓３０１と、投票券投入口３０２と、投票券排出口３０３と、投票カード投入排出口３０４と、紙幣投入排出口３０５と、硬貨投入口３０６と、硬貨排出口３０７と、タッチパネル３０８とを有する。
【００２０】
運用状況表示窓３０１は、投票端末３０において、投票券の発券受付中であるか発券停止中であるかを表示する。また、運用状況表示窓３０１は、投票端末３０において、投票券の払戻受付中であるか払戻停止中であるかを表示する。
【００２１】
投票券投入口３０２には、当たりか外れかが確定している投票券（以下では「確定投票券」と呼ぶことがある）が投入される。
【００２２】
投票券排出口３０３は、購入された投票券を排出する。また、投票券排出口３０３は、投票端末３０が抽選サーバ２０から受信した将来レースデータに応じた「券」を排出する。将来レースデータに応じた「券」とは、例えば、将来レースの投票券、または、将来レースの投票用ギフト券である。
【００２３】
投票カード投入排出口３０４は、投票申し込みマークカード（以下では「投票カードと」と呼ぶことがある）を投入される一方で、返却される投票カードを排出する。
【００２４】
紙幣投入排出口３０５は、紙幣を投入される一方で、返却される紙幣または釣札とされる紙幣を排出する。
【００２５】
硬貨投入口３０６は、硬貨を投入される。
【００２６】
硬貨排出口３０７は、返却される硬貨または釣銭とされる硬貨を排出する。
【００２７】
タッチパネル３０８は、操作案内、レース案内、及び、投票カードの投票内容等の情報を表示し、各種の入力や投票内容の修正等の際に操作される。投票者は、タッチパネル３０８に表示された情報を見ながら、タッチパネル３０８に対するタッチ操作を行うことができる。
【００２８】
なお、投票端末３０において、投票券投入口３０２と投票券排出口３０３とを一体構成としても良い。また、硬貨投入口３０６と硬貨排出口３０７とを一体構成としても良い。また、投票カード投入排出口３０４を、投票カード投入口と投票カード排出口とのように、別体構成としても良い。また、紙幣投入排出口３０５を、紙幣投入口と紙幣排出口とのように、別体構成としても良い。
【００２９】
＜投票端末の構成＞
図３は、実施例１の投票端末の構成例を示す機能ブロック図である。図３において、投票端末３０は、読取部３２１と、データ処理部３２４と、通信部３２０と、印刷部３２５とを有する。通信部３２０は、送信部３２２と、受信部３２３とを有する。送信部３２２及び受信部３２３は、ネットワーク４０に接続される。
【００３０】
読取部３２１は、投票券投入口３０２に投入されて搬送機構（図示省略）により搬送された確定投票券の投票内容を読み取り、確定投票券の投票内容を示すデータ（以下では「確定投票券データ」と呼ぶことがある）をデータ処理部３２４へ出力する。確定投票券データには、例えば、確定投票券に記載されたレース開催日、場名、レース番号、式別、及び、買目が含まれる。
【００３１】
データ処理部３２４は、レース結果データを受信部３２３から入力され、確定投票券データとレース結果データとを比較することにより、投入された確定投票券が当たり投票券か外れ投票券かを判断する。データ処理部３２４は、投入された確定投票券が外れ投票券であると判断した場合に、確定投票券データから外れ投票券データを生成し、生成した外れ投票券データを送信部３２２へ出力する。
【００３２】
また、データ処理部３２４は、将来レースデータを受信部３２３から入力され、入力された将来レースデータに応じて印刷部３２５を制御することにより、将来レースの投票券、または、将来レースの投票用ギフト券を印刷部３２５に印刷させる。
【００３３】
送信部３２２は、外れ投票券データを抽選サーバ２０へ送信する。
【００３４】
受信部３２３は、レース結果データを管理サーバ１０から受信し、受信したレース結果データをデータ処理部３２４へ出力する。また、受信部３２３は、将来レースデータを抽選サーバ２０から受信し、受信した将来レースデータをデータ処理部３２４へ出力する。
【００３５】
印刷部３２５は、データ処理部３２４の制御の下で、将来レースの投票券、または、将来レースの投票用ギフト券を印刷する。印刷された将来レースの投票券、または、印刷された将来レースの投票用ギフト券は、搬送機構（図示省略）により搬送されて投票券排出口３０３から排出される。
【００３６】
＜抽選サーバの構成＞
図４は、実施例１の抽選サーバの構成例を示す機能ブロック図である。図４において、抽選サーバ２０は、通信部２１０と、情報取得部２０２と、記憶部２０３と、抽選部２０４と、将来レースデータ生成部２０５とを有する。通信部２１０は、受信部２０１と、送信部２０６とを有する。受信部２０１及び送信部２０６は、ネットワーク４０に接続される。
【００３７】
受信部２０１は、詳細レースデータを情報サーバ５０から受信して出力する。また、受信部２０１は、外れ投票券データを投票端末３０から受信して出力する。
【００３８】
情報取得部２０２は、受信部２０１から出力される詳細レースデータ及び外れ投票券データのうち詳細レースデータを取得して記憶部２０３へ出力する。
【００３９】
記憶部２０３は、詳細レースデータを記憶する。
【００４０】
抽選部２０４は、受信部２０１から出力される詳細レースデータ及び外れ投票券データのうち外れ投票券データを取得し、取得した外れ投票券データに基づいて、外れ投票券に対する抽選を行う。抽選部２０４は、外れ投票券に対する抽選結果（つまり、当たりか外れかの抽選結果）を将来レースデータ生成部２０５へ出力する。また、抽選部２０４は、外れ投票券が抽選に当選した場合、取得した外れ投票券データを将来レースデータ生成部２０５へ出力する。
【００４１】
将来レースデータ生成部２０５は、抽選部２０４での抽選結果に従い、外れ投票券が抽選に当選した場合に、外れ投票券データと、記憶部２０３に記憶されている詳細レースデータのうち、投票券購入〆切前のレースに関するデータとに基づいて、将来レースデータを生成する。将来レースデータ生成部２０５は、生成した将来レースデータを送信部２０６へ出力する。
【００４２】
送信部２０６は、将来レースデータを、投票端末３０−１〜３０−Ｎのうち、外れ投票券データを抽選サーバ２０へ送信した投票端末３０へ将来レースデータを送信する。
【００４３】
＜トータリゼータシステムの処理＞
図５は、実施例１のトータリゼータシステムの処理シーケンスの一例を示す図である。
【００４４】
確定投票券を投入された投票端末３０は、投入された確定投票券が当たり投票券か外れ投票券かを判断する（ステップＳＴ１１）。
【００４５】
確定投票券が当たり投票券である場合は（ステップＳＴ１１：Ｎｏ）、投票端末３０は、管理サーバ１０での計算結果に従って、配当金の払戻を行う（ステップＳＴ１３）。
【００４６】
一方で、確定投票券が外れ投票券である場合は（ステップＳＴ１１：Ｙｅｓ）、投票端末３０は、外れ投票券データを抽選サーバ２０へ送信する（ステップＳＴ１５）。
【００４７】
外れ投票券データを受信した抽選サーバ２０は、外れ投票券データに基づいて、外れ投票券に対する抽選を行う（ステップＳＴ１７）。外れ投票券に対する抽選は、抽選部２０４によって行われる。抽選部２０４は、例えば、投票金額１００円毎に、３０分の１の当選確率でランダムに抽選を行う。例えば、外れ投票券の投票金額の合計が１０００円である場合には、抽選部２０４は、抽選を１０回行う。
【００４８】
次いで、抽選サーバ２０は、外れ投票券が抽選に当選したか否かを判断する（ステップＳＴ１９）。外れ投票券が抽選に当選したか否かの判断は、抽選部２０４から将来レースデータ生成部２０５へ出力される抽選結果に従って、将来レースデータ生成部２０５によって行われる。
【００４９】
外れ投票券が抽選に落選した場合は（ステップＳＴ１９：Ｎｏ）、将来レースデータ生成部２０５は落選通知を生成し、生成した落選通知を送信部２０６へ出力し、送信部２０６は、落選通知を投票端末３０へ送信する（ステップＳＴ２１）。
【００５０】
落選通知を受信した投票端末３０では、タッチパネル３０８に、落選通知画面が表示される（ステップＳＴ２３）。
【００５１】
一方で、外れ投票券が抽選に当選した場合は（ステップＳＴ１９：Ｙｅｓ）、将来レースデータ生成部２０５は将来レースデータを生成し、生成した将来レースデータを送信部２０６へ出力する（ステップＳＴ２５）。
【００５２】
次いで、送信部２０６は、将来レースデータ生成部２０５から入力された将来レースデータを投票端末３０へ送信する（ステップＳＴ２７）。
【００５３】
将来レースデータを受信した投票端末３０は、将来レースデータに応じて、将来レースの投票券、または、将来レースの投票用ギフト券を投票券排出口３０３から排出する（ステップＳＴ２９）。外れ投票券が抽選に当選した場合に、将来レースの投票券、または、将来レースの投票用ギフト券の何れの券を発行するかは、レース主催者により予め決められてデータ処理部３２４に予め設定されている。
【００５４】
＜抽選サーバの動作＞
図６は、実施例１の外れ投票券データの一例を示す図である。受信部２０１は、例えば、図６に示す外れ投票券データＤ１〜Ｄ４を、投票端末３０−１〜３０−Ｎのうちの何れか１つの投票端末３０から受信する。外れ投票券データＤ１〜Ｄ４の各々は、投票端末３０に一度にまとめて投入された４枚の投票券の各々に対応する。外れ投票券データＤ１〜Ｄ４の各々には、レース開催日、場名、レース番号、式別、買目、及び、投票金額が含まれる。また、ここでは、外れ投票券データＤ１〜Ｄ４の投票金額の合計は１０００円であるため、抽選部２０４による外れ投票券に対する抽選は１０回行われる。以下では、１０回の抽選が行われた結果、１回当選し、９回落選したものとする。抽選部２０４は、外れ投票券データＤ１〜Ｄ４に対し、１回の当選と、９回の落選とを、抽選結果として将来レースデータ生成部２０５へ出力する。
【００５５】
図７は、実施例１の詳細レースファイルの項目の一例を示す図である。図７に示す各項目を有する詳細レースファイルが記憶部２０３に予め記憶されている。この詳細レースファイルは、情報取得部２０２が取得する詳細レースデータに基づいて情報取得部２０２によって作成されて記憶部２０３に記憶されている。図７に示す項目のうち「人気順位」は、レース毎及び式別毎に付与されている。各レースの各式別において、オッズが低い買目は人気順位が高い。なお、オッズは、「オッズ＝（式別毎の全投票数−所定の割合）／買目の投票数」によって算出されており、買目の投票数が多いほど（つまり、たくさん買われているほど、人気が有るほど）、的中した場合のオッズ（つまり、配当）が低くなる。
【００５６】
外れ投票券が抽選に当選した場合、将来レースデータ生成部２０５は、図８に示すように、外れ投票券データＤ１〜Ｄ４に、人気順位と、順位区分とを付与する。図８及び図９は、実施例１の抽選サーバの動作例の説明に供する図である。将来レースデータ生成部２０５は、記憶部２０３に記憶されている詳細レースファイル（図７）を、外れ投票券データＤ１〜Ｄ４の各々に基づいて検索する。そして、将来レースデータ生成部２０５は、外れ投票券データＤ１〜Ｄ４の各々のレース番号及び式別に対応する人気順位を詳細レースファイルから取得し、取得した人気順位を外れ投票券データＤ１〜Ｄ４の各々に付与する。また、将来レースデータ生成部２０５は、外れ投票券データＤ１〜Ｄ４の各々に付与した人気順位に従った順位区分を、投票券データＤ１〜Ｄ４の各々に付与する。例えば、人気順位は３つに区分され、１位から２０位までの人気順位は「有力」、２１位から４０位までの人気順位は「伏兵」、４１位以下の人気順位は「穴」と区分される。図８では、人気順位と順位区分とが付与された投票券データＤ１〜Ｄ４を、投票券データＤ１’〜Ｄ４’と表記する。
【００５７】
将来レースデータ生成部２０５は、投票券データの買目と、買目の人気順位とを以下のようにして分析し、分析結果に基づいて、将来レースデータを生成する。投票券データＤ１’の式別は「単勝」であり、投票券データＤ２’，Ｄ３’の式別は「２連単」であり、投票券データＤ４’の式別は「３連複」である。また、投票券データＤ１’の順位区分は「有力」であり、投票券データＤ２’，Ｄ４’の順位区分は「伏兵」であり、投票券データＤ３’の順位区分は「穴」である。よって、投票券データＤ１’〜Ｄ４’において、最多数の式別は「２連単」であり、最多数の順位区分は「伏兵」である。そこで、将来レースデータ生成部２０５は、図９に示すように、最多数の式別である「２連単」と、最多数の順位区分である「伏兵」との組合せを、投票券データＤ１’〜Ｄ４’の分析結果とする。なお、分析対象の投票券データにおいて最多数の式別が複数存在する場合には、将来レースデータ生成部２０５は、最多数の式別のうちから何れか１つの式別をランダムに選択すると良い。同様に、分析対象の投票券データにおいて最多数の順位区分が複数存在する場合には、将来レースデータ生成部２０５は、最多数の順位区分のうちから何れか１つの順位区分をランダムに選択すると良い。
【００５８】
次いで、将来レースデータ生成部２０５は、「２連単」と「伏兵」との組合せで示される分析結果に基づいて、記憶部２０３に記憶されている詳細レースファイルを検索する。ここでは一例として、「２連単」の「伏兵」に区分される順位が２１位〜４０位であるとする。将来レースデータ生成部２０５は、詳細レースファイルから、投票券購入〆切前のレースのうち最直近のレースのレース開催日、場名及びレース番号を取得する。また、将来レースデータ生成部２０５は、詳細レースファイルから、その最直近のレースにおける買目のうち、「式別＝２連単」かつ「順位区分＝２１位〜４０位」に該当する何れか１つの買目をランダムに取得する。ここでは、例えば、最直近のレースのレース開催日が「２０１５年８回５日」、最直近のレースの場名が「東京」、最直近のレースのレース番号が「８」と取得されたものとする。また例えば、「式別＝２連単」かつ「順位区分＝２１位〜４０位」に該当する何れか１つの買目が「３−５」と取得されたものとする。
【００５９】
そこで、将来レースデータ生成部２０５は、投票端末３０が将来レースの投票券を発行する場合は、例えば図１０に示す将来レースデータを生成する。図１０は、実施例１の将来レースデータの一例を示す図である。図１０に示す将来レースデータには、最直近のレースのレース開催日である「２０１５年８回５日」と、最直近のレースの場名である「東京」と、最直近のレースのレース番号である「８」とが含まれる。また、図１０に示す将来レースデータには、分析対象の投票券データにおいて最多数の式別である「２連単」と、「式別＝２連単」かつ「順位区分＝２１位〜４０位」に該当する何れか１つの買目である「３−５」とが含まれる。また、上記のように、外れ投票券データＤ１〜Ｄ４に対する当選回数は１回であったため、図１０に示す将来レースデータには、投票金額として「１００円」が含まれる。図１０に示す将来レースデータは、抽選サーバ２０から投票端末３０へ送信される。
【００６０】
図１０に示す将来レースデータを受信した投票端末３０では、図１０に示す将来レースデータに従って、データ処理部３２４の制御の下で、印刷部３２５が、例えば図１１に示す投票券を印刷する。また、印刷部３２５は、図１１に示す投票券の内容を示すデータを投票券の磁気部分に書き込む。図１１は、実施例１の投票券の一例を示す図である。つまり、図１１に示す投票券は、投票券購入〆切前のレースのうちの最直近のレースの投票券である。また、図１１に示す投票券は、分析対象の投票券データにおいて最多数の式別である「２連単」と、分析対象の投票券データにおいて最多数の順位区分に該当する買目である「３−５」とを含むものである。このため、図１０に示す投票券は、外れ投票券を投票端末３０へ投入した者の嗜好に合った投票券となっている。
【００６１】
なお、抽選に当選して発券された投票券には、通常の投票券と区別できるように、「抽選投票券」等の文字や、記号・マーク・模様・図等が印刷されても良い。また、抽選に当選して発券された投票券では、通常の投票券と比べて、投票券の素材は同じで地色を変えたり、印刷される文字の色・字体・大きさ・レイアウト等を変えるようにしても良い。
【００６２】
一方で、投票端末３０が将来レースの投票用ギフト券を発行する場合は、将来レースデータ生成部２０５は、例えば図１２に示す将来レースデータを生成する。図１２は、実施例１の将来レースデータの一例を示す図である。図１２に示す将来レースデータには、分析対象の投票券データにおいて最多数の式別である「２連単」が含まれる。また、上記のように、外れ投票券データＤ１〜Ｄ４に対する当選回数は１回であったため、図１２に示す将来レースデータには、購入可能金額として「１００円」が含まれる。図１２に示す将来レースデータは、抽選サーバ２０から投票端末３０へ送信される。
【００６３】
図１２に示す将来レースデータを受信した投票端末３０では、図１２に示す将来レースデータに従って、データ処理部３２４の制御の下で、印刷部３２５が、例えば図１３に示す投票用ギフト券を印刷する。また、印刷部３２５は、図１３に示す投票用ギフト券の内容を示すデータを投票用ギフト券の磁気部分またはＱＲコード部分（ＱＲコード：登録商標）に書き込む。図１３は、実施例１の投票用ギフト券の一例を示す図である。つまり、図１３に示す投票用ギフト券は、投票券購入〆切前のレースの投票券を購入可能なギフト券である。また、図１３に示す投票用ギフト券は、投票券データＤ１’〜Ｄ４’において最多数の式別である「２連単」を含むものである。このため、図１３に示す投票用ギフト券は、外れ投票券を投票端末３０へ投入した者の嗜好に合った投票券を購入可能なギフト券となっている。図１３に示す投票用ギフト券の受領者は、この投票用ギフト券を投票端末３０へ投入することにより、所望のレースの２連単の所望の買目の投票券を１００円分購入することができる。
【００６４】
＜将来レースデータ生成部の処理＞
図１４は、実施例１の将来レースデータ生成部の処理の説明に供するフローチャートである。
【００６５】
ステップＳＴ５１では、将来レースデータ生成部２０５は、記憶部２０３に記憶されている詳細レースファイルを外れ投票券データに基づいて検索し、外れ投票券データの各々のレース番号及び式別に対応する人気順位を取得する。また、将来レースデータ生成部２０５は、取得した人気順位を、外れ投票券データの各々に付与する。
【００６６】
次いで、ステップＳＴ５３では、将来レースデータ生成部２０５は、外れ投票券データの各々に付与した人気順位の順位区分を判断し、判断した順位区分を、外れ投票券データの各々に付与する。
【００６７】
次いで、ステップＳＴ５５では、将来レースデータ生成部２０５は、人気順位及び順位区分付与後の外れ投票券データを上記のようにして分析する。
【００６８】
そして、ステップＳＴ５７では、将来レースデータ生成部２０５は、ステップＳＴ５５での分析結果に従って、将来レースデータを生成する。
【００６９】
以上のように、実施例１では、トータリゼータシステム１は、投票端末３０と、抽選サーバ２０とを有する。投票端末３０は、確定投票券を投入され、投入された確定投票券が外れ投票券である場合に、外れ投票券データを抽選サーバ２０へ送信する。抽選サーバ２０は、外れ投票券データを受信し、受信した外れ投票券データに基づいて将来レースデータを生成し、生成した将来レースデータを投票端末３０へ送信する。そして、投票端末３０は、将来レースデータを受信し、受信した将来レースデータに応じた投票券または投票用ギフト券を排出する。
【００７０】
また、実施例１では、投票端末３０は、投票券投入口３０２と、送信部３２２と、受信部３２３と、投票券排出口３０３とを有する。投票券投入口３０２は、確定投票券を投入可能である。送信部３２２は、投入された確定投票券が外れ投票券である場合に、外れ投票券データを抽選サーバ２０へ送信する。受信部３２３は、抽選サーバ２０によって外れ投票券データに基づいて生成された将来レースデータを抽選サーバ２０から受信する。投票券排出口３０３は、受信された将来レースデータに応じた投票券または投票用ギフト券を排出する。
【００７１】
また、実施例１では、抽選サーバ２０は、受信部２０１と、将来レースデータ生成部２０５と、送信部２０６とを有する。受信部２０１は、外れ投票券データを投票端末３０から受信する。将来レースデータ生成部２０５は、受信された外れ投票券データに基づいて、将来レースデータを生成する。送信部２０６は、生成された将来レースデータを投票端末３０へ送信する。
【００７２】
こうすることで、将来レースの投票券または投票用ギフト券を入手したいと望む者が外れ投票券を捨てずに投票端末３０に投入することが期待されるため、投票端末３０による外れ投票券の回収機会が増加して、外れ投票券の散乱を抑止することができる。また、外れ投票券をファンサービスへ活用することができる。さらに、外れ投票券の散乱を抑止することにより、清掃に費やす労力を軽減することができるとともに、公営競技のイメージの悪化を防いで新規顧客の開拓を進めることができる。
【００７３】
また、実施例１では、抽選サーバ２０は、外れ投票券に対する抽選を行い、外れ投票券が抽選に当選した場合に、外れ投票券データに基づいて将来レースデータを生成する。
【００７４】
こうすることで、外れ投票券の回収にあたり、将来レースの投票券または投票用ギフト券を入手したいと望む者に対し、抽選という楽しみを与えることができるため、外れ投票券の回収を促進することができる。
【００７５】
また、実施例１では、抽選サーバ２０は、レース開催日、場名、レース番号、式別、及び、買目を含む将来レースデータを生成する。投票端末３０は、受信した将来レースデータに基づいて、レース開催日、場名、レース番号、式別、及び、買目が印刷された投票券を排出する。
【００７６】
こうすることで、外れ投票券を投票端末３０に投入した者に対して将来レースの投票券を提供できるため、将来レースの投票券の受領者は、新たな投票券を購入することなく将来レースの賭けに参加することができる。
【００７７】
また、実施例１では、抽選サーバ２０は、式別、及び、投票券の購入可能金額を含む将来レースデータを生成する。投票端末３０は、受信した将来レースデータに基づいて、式別、及び、投票券の購入可能金額が印刷された投票用ギフト券を排出する。
【００７８】
こうすることで、外れ投票券を投票端末３０に投入した者に対して将来レースの投票用ギフト券を提供できるため、将来レースの投票用ギフト券の受領者は、投票用ギフト券を使って所望の将来レースの投票券を購入することができる。
【００７９】
また、実施例１では、抽選サーバ２０は、受信した外れ投票券データの買目と買目の人気順位とを分析し、分析結果に基づいて将来レースデータを生成する。
【００８０】
こうすることで、外れ投票券を投票端末３０へ投入した者の嗜好に合った投票券または投票用ギフト券を提供することができる。  
【００８１】
［実施例２］
＜投票端末のハードウェア構成＞
投票端末３０は、例えば、次のようなハードウェア構成により実現することができる。図１５は、実施例２の投票端末のハードウェア構成例を示す図である。図１５に示すように、投票端末３０は、ハードウェアの構成要素として、プロセッサ３０ａと、メモリ３０ｂと、搬送機構３０ｃと、印刷モジュール３０ｄと、磁気読取モジュール３０ｅと、ネットワークインタフェースモジュール３０ｆとを有する。プロセッサ３０ａの一例として、ＣＰＵ（Central  Processing  Unit），ＤＳＰ（Digital  Signal  Processor），ＦＰＧＡ（Field  Programmable  Gate  Array）等が挙げられる。また、投票端末３０は、プロセッサ３０ａと周辺回路とを含むＬＳＩ（Large  Scale  Integrated  circuit）を有しても良い。メモリ３０ｂの一例として、ＳＤＲＡＭ（Synchronous  Dynamic  Random  Access  Memory）等のＲＡＭ（Random  Access  Memory），ＲＯＭ（Read  Only  Memory）、フラッシュメモリ等が挙げられる。
【００８２】
読取部３２１は、例えば磁気読取モジュール３０ｅによって実現される。印刷部３２５は、例えば印刷モジュール３０ｄによって実現される。データ処理部３２４は、例えばプロセッサ３０ａによって実現される。通信部３２０は、例えばネットワークインタフェースモジュール３０ｆによって実現される。
【００８３】
また、投票端末３０での上記説明における各処理は、各処理に対応するプログラムをプロセッサ３０ａに実行させることによって実現しても良い。例えば、上記説明における各処理に対応するプログラムがメモリ３０ｂに記憶され、プログラムがプロセッサ３０ａによってメモリ３０ｂから読み出されて実行されても良い。
【００８４】
＜抽選サーバのハードウェア構成＞
抽選サーバ２０は、例えば、次のようなハードウェア構成により実現することができる。図１６は、実施例２の抽選サーバのハードウェア構成例を示す図である。図１６に示すように、抽選サーバ２０は、ハードウェアの構成要素として、プロセッサ２０ａと、メモリ２０ｂと、ネットワークインタフェースモジュール２０ｃとを有する。プロセッサ２０ａの一例として、ＣＰＵ，ＤＳＰ，ＦＰＧＡ等が挙げられる。また、抽選サーバ２０は、プロセッサ２０ａと周辺回路とを含むＬＳＩを有しても良い。メモリ２０ｂの一例として、ＳＤＲＡＭ等のＲＡＭ，ＲＯＭ、フラッシュメモリ等が挙げられる。
【００８５】
通信部２１０は、例えばネットワークインタフェースモジュール２０ｃによって実現される。情報取得部２０２、抽選部２０４及び将来レースデータ生成部２０５は、例えばプロセッサ２０ａによって実現される。記憶部２０３は、例えばメモリ２０ｂによって実現される。
【００８６】
また、抽選サーバ２０での上記説明における各処理は、各処理に対応するプログラムをプロセッサ２０ａに実行させることによって実現しても良い。例えば、上記説明における各処理に対応するプログラムがメモリ２０ｂに記憶され、プログラムがプロセッサ２０ａによってメモリ２０ｂから読み出されて実行されても良い。
【符号の説明】
【００８７】
１  トータリゼータシステム
２０  抽選サーバ
３０−１〜３０−Ｎ  投票端末
２０２  情報取得部
２０３  記憶部
２０４  抽選部
２０５  将来レースデータ生成部
２１０，３２０  通信部
３２１  読取部
３２４  データ処理部
３２５  印刷部
【図１】
0006637366.tif 000002
【図２】
0006637366.tif 000003
【図３】
0006637366.tif 000004
【図４】
0006637366.tif 000005
【図５】
0006637366.tif 000006
【図６】
0006637366.tif 000007
【図７】
0006637366.tif 000008
【図８】
0006637366.tif 000009
【図９】
0006637366.tif 000010
【図１０】
0006637366.tif 000011
【図１１】
0006637366.tif 000012
【図１２】
0006637366.tif 000013
【図１３】
0006637366.tif 000014
【図１４】
0006637366.tif 000015
【図１５】
0006637366.tif 000016
【図１６】
0006637366.tif 000017